Podtech/llm-jp-corpus-v4-ja_patent huggingface dataset:
(57)【要約】      （修正有）【課題】本考案は指手で編物をする場合に、糸を安定させて、つかみ易くして作業の効率性を高めた指編み機を提供する。【解決手段】樹脂などで製造された釣り針状の針先部分を屈曲し、針本体との接触部分を、糸が入るくらいのわずかに開放されている状態にまですることで、その部分から差し込み補給した糸の戻りを抑えて、糸を安定させることにより前段階の編目との絡まりやもつれをなくした。また、針にツメをつくることにより、その隙間に糸を差し込み固定して、糸を安定させ、糸をつかみ易くした。また、釣り針状の針が固定片にスライド装着できるようにすることで、針間隔を自由に設定して編目の形状デザインを多様に出来るようにした。【選択図】図１
0003129381.tif 000002
【実用新案登録請求の範囲】
【請求項１】
釣り針状の針をスライド固定させるための固定片
【請求項２】
釣り針状の編み針とその針と固定片を組合わせた指編み機
【考案の詳細な説明】
【技術分野】
【０００１】
本考案は樹脂からなる指編み機に関する。
【背景技術】
【０００２】
指で編む方法は従来からあり、リリアン編みや空箱を利用する方法もある。
特許庁図書館に登録されている実用新案出願名称「手編み機」（実開平6-033984）や特許出願名称「毛糸指編み代替治具」（特開2004-019087）などがある。
【特許文献１】特開2004-019087
【特許文献２】実開平6-033984
【考案の開示】
【考案が解決しようとする課題】
【０００３】
両方の手を使って行っていた手編み、指編みの作業を片方の手指でも容易できる道具を提供できるようにする。
【０００４】
大きめの作品や小さい作品など編みたいデザインによって道具の長さを調整できるものを提供する。
【０００５】
編み針の間隔を簡単に設定できるようにする。
【課題を解決するための手段】
【０００６】
段落0003の課題については、釣り針状の針にツメをつけることにより、糸がそのツメに差し込まれ固定された状態になり、また釣り針状に屈曲した針との接合部分（符号２）から糸が差し込まれて安定してはずれなくなるようにした。
【０００７】
段落0004の課題につては、固定片（図２）の側面にジョイントをつけることにより、巾の広い作品の編物も容易にできるようになった。
【０００８】
段落0005の課題については、固定片に針をスライド固定ができるように溝を設けて、釣り針状の針を取り外しができるようにした。
【考案の効果】
【０００９】
固定片が養生テープなどで固定されていて、針のツメ（符号１）の部分と
（符号３）の部分に糸を安定補給させることにより両方の手指を使用することなく、片方の手指で編物がきわめて簡単にできる。
【００１０】
編目の間隔を自由に変更できることにより、また固定片側面のジョイントを連結することによって、デザインが多様になり、オリジナル性の高い編物ができる。
【考案を実施するための最良の形態】
【００１１】
本考案の実施形態を実施例に基づき、図を用いて説明する。
図２のように釣り針状の針を取り付ける固定片に針をスライド固定すると
図１のような形状になり、養生テープのなどの手段でその固定片を接着固定して使用する
【００１２】
図４のように釣り針状の針の部分に左から右に糸を巻きつけながら移動させる。巻きつけた糸をそれぞれの針のツメの（符号１）の部分に差し込んで固定しておく。
【００１３】
次に巻きつけた糸の続きを針の（符号２）から差し込み、（符号３）の部分に安定補給された状態にしておく。
【００１４】
（符号１）に差し込まれた糸を、針先全体を包むようにして針から外す。
【００１５】
（符号３）に残った糸は（符号１）のツメの部分に移動差し込み固定する。
【００１６】
糸の続きは再度（符号２）から差し込み（符号３）の部分に安定補給された状態にして、段落0014と同様にする。これを繰り返し、編目が作られていく。
【図面の簡単な説明】
【００１７】
【図１】本考案の斜めから示した図である。
【図２】針を外した固定片を斜めから示した図である。
【図３】図２の固定片を正面から示した図である。
【図４】本考案の編目ができる原理を表した図である。
【図５】本考案の編目ができる原理を表した図である。
【図６】釣り針状の針を側面から示した図である。
【図７】釣り針状の針を平面（真上から見た）から示した図である。
【符号の説明】
【００１８】
１・・・・糸を差し込み固定させる為のツメ
２・・・・屈曲した針先と針との接触面
３・・・・針先を屈曲させ、糸を安定補給するための穴
【図６】
0003129381.tif 000003
【図７】
0003129381.tif 000004
【図１】
0003129381.tif 000005
【図２】
0003129381.tif 000006
【図３】
0003129381.tif 000007
【図４】
0003129381.tif 000008
【図５】
0003129381.tif 000009
【手続補正書】
【提出日】平成18年12月6日(2006.12.6)
【手続補正１】
【補正対象書類名】実用新案登録請求の範囲
【補正対象項目名】全文
【補正方法】変更
【補正の内容】
【実用新案登録請求の範囲】
【請求項１】
棒状部分のほぼ四分の一先端が釣り針状に折り曲げてあり、釣り針状に折り曲げられた先端部分と棒状部分との隙間は毛糸が差し込まれる程度であり、棒状部分の中央上面にも毛糸が差し込まれるツメを有した編み具部品
【請求項２】
請求項１の編み具部品の棒状部分とほぼ同じ形状の溝を有し、請求項１記載の編み具部品が複数個同じ向きに相互に平行に差し込まれる固定片と、請求項１記載の編み具部品とが組合わされた指編み機
(57)【要約】【課題】ミニ布団を容易に折り畳むことができ、かつミニ布団本体の包装用収納ポケットに収納し手軽に持ち運ぶことができる携帯ミニ布団を提供すること。【解決手段】ミニ布団本体とミニ布団本体に付設された包装用ポケット布体と包装用ポケット布体内部端部に取り付けられた把手部とを備えてなり、包装用ポケット布体と同じ大きさに折り畳められたミニ布団本体を包装用ポケット布体が反転覆うことができポケットに収納される。包装用ポケット布体を反転することで把手部が出てくる。【選択図】  図１
0003129313.tif 000002
【実用新案登録請求の範囲】
【請求項１】
適宜厚さに詰め物を封入し柔軟性を有する携帯ミニ布団は本体に付設された包装用ポケット布体と包装用ポケット内部端部に取り付けられた把手部とを備えてなり、携帯ミニ布団の付設された包装用ポケット布体の大きさに携帯ミニ布団を折り畳み、包装用ポケットに収納できることを特徴とする携帯ミニ布団。
【請求項２】
携帯ミニ布団の使用中は包装用ポケット布体が物品収納部となり、携帯ミニ布団を包装用ポケット布体に収納した状態では把手部を備えていることで携帯の出来るクッションとなることを特徴とする請求項１の携帯ミニ布団。
【考案の詳細な説明】
【技術分野】
【０００１】
本考案は屋内外で簡単に携帯し仮眠や昼寝ができる携帯ミニ布団に関するものである。
【背景技術】
【０００２】
通常の布団は大きく嵩張り携帯に問題が残り、一般的なひざ掛けなどでは保温性に限度がある。
【０００３】
これに対しひざ掛けの形状の工夫がなされており、例えばと登録実用新案第３１０８８
８６号に携帯用ひざ掛けが提案されているが使用時に係止部、把手部が突起となり使用感を悪くしている。また特開平９−９５８１１に提案されているひざ掛けクッションはクッション内部にファスナーやジッパーを縫着しているためにクッション部の硬さが出てしまい快適な使用感を損なっている。
【特許文献１】登録実用新案第３１０８８８６号公報
【特許文献２】特開平９−９５８１１号公報
【考案の開示】
【考案が解決しようとする課題】
【０００４】
上記文献に開示された携帯用ひざ掛けやひざ掛けクッションは係止部、把手部、ファスナーなどが硬く突起して使用感を損なってしまう。
【０００５】
この考案はこのような事情を考慮してなされたもので、携帯ミニ布団本体を折り畳み、本体に付設されたポケットに収納し、かつ手軽に持ち運びができる携帯ミニ布団を提供することを目的とする。
【課題を解決するための手段】
【０００６】
上記目的を達成するために考案された携帯ミニ布団は携帯ミニ布団本体に付設された包装用ポケット布体と包装用ポケット内部端部に取り付けられた把手部とを備えてなり、包装用ポケットの大きさに折り畳められた携帯ミニ布団をポケットに収納できることを特徴とする。
【０００７】
この考案に係る携帯ミニ布団においては携帯ミニ布団を携帯ミニ布団に付設するポケットに収納した時にポケット内部端部に把手部を備えていることで持ち運びが出来ることを特徴とする。
【考案の効果】
【０００８】
携帯ミニ布団は携帯ミニ布団本体に付設された包装用ポケット布体と包装用ポケット布体内部端部に取り付けられた把手部とを備えてなり、包装用ポケット布体の大きさに折り畳められた携帯ミニ布団を包装用ポケット布体に容易に収納できる。
【０００９】
携帯ミニ布団においては携帯ミニ布団を携帯ミニ布団に付設する包装用ポケット布体に収納した時にポケット布体内部端部に把手部を備えていることで持ち運びが出来る。
【考案を実施するための最良の形態】
【００１０】
以下、図面を参照し、この考案の実施の形態について説明する。
図１は本考案の一実施の形態に係る携帯ミニ布団を示す平面図、図２は本考案の携帯ミニ布団を示す背面図である。図１および図２において、符号１、２は携帯ミニ布団の生地を示したものである。この生地は柔軟性のある布地で必ずしも符号１，２同素材である必要は無い。
【００１１】
図３に示すように符号１，２の間に符号３の詰め物を封入され、複数条の畳み目が形成されている。
【００１２】
包装用ポケット生地、符号３は複数条の畳み目に合わせて縫合し、包装用ポケット生地内部底辺端部に把手部が縫合形成されている。
【００１３】
ミニ布団本体は本実施例において略長方形をしており、縦横方向に直角に複数条の畳み目が形成されている。この畳み目に合わせて包装用ポケットが付設されているので包装用ポケット幅に縦方向の折り目に合わせて左右のミニ布団を図４のように折り畳む。
【００１４】
包装用ポケットは図４の状態から包装用ポケットを上にして横方向の折り目にあわせ
て包装用ポケットの縦幅に折り畳む。
【００１５】
ミニ布団は図５に示すように包装用ポケットの大きさにミニ布団が折り目にしたがって簡単に折り畳められる。このときに一番上には包装用ポケットが配される。これは折り目となるキルティングは折り目の縦、横の寸法に従った大きさに包装用ポケットは設定されている。
【００１６】
包装用ポケットの大きさに折り畳められたミニ布団は符号３を反転して折り畳められたミニ布団全体を包み込み、包装用ポケットに収納できる。
【００１７】
図６に示すように包装用ポケットに収納されたミニ布団は符号５の把手部によってバッグの形態となる。また使用際にも簡単に開いて使用することが出来る。また、符号５の把手部はミニ布団本体と包装用ポケットに縫合されているので安定した搬送が可能となっている。
【産業上の利用可能性】
【００１８】
この考案は、携帯ミニ布団に係り、非使用時においては包装用ポケットにミニ布団を折り畳み収納している状態においてはクッション、枕として使用が出来る。また持ち運びも出来る。使用する際は速やかに展開できるため、産業上の利用可能性が認められる。
【図面の簡単な説明】
【００１９】
【図１】本考案の携帯ミニ布団を示す平面図である。
【図２】同携帯ミニ布団の裏面を示す底面図である。
【図３】同携帯ミニ布団の断面図である。
【図４】同携帯ミニ布団を折り畳む様子を示す説明図である。
【図５】同携帯ミニ布団を折り畳んだ状態を示す説明図である。
【図６】同携帯ミニ布団の収納状態を示す斜視図である。
【符号の説明】
【００２０】
１  携帯ミニ布団表生地
２  携帯ミニ布団裏生地
３  包装用ポケット生地
４  詰め物
５  把手部
６  収納口
７  畳み目
【図１】
0003129313.tif 000003
【図２】
0003129313.tif 000004
【図３】
0003129313.tif 000005
【図４】
0003129313.tif 000006
【図５】
0003129313.tif 000007
【図６】
0003129313.tif 000008
(57)【要約】【課題】靴の爪先部分に異物がつまったり、靴の爪先部分が他の障害物に引っかかったりして身体のバランスを崩したりしないようにするとともに、足全体の運動機能を高め、健康増進を図ることができる運動靴を提供する。【解決手段】靴の甲被爪先部分の内側に親指と第２指との指股がやや開いた状態で保持できるよう、僅かに先拡がりの略Ｖ字状又は略Ｕ字状の隔壁Ａを設け、靴底の上面の踵に接する部分は凹曲面Ｂを形成し、靴底の上面の土踏まずに接する部分は凸曲面Ｃを形成してなることを特徴とする運動靴である。前記隔壁Ａは、親指と第２指の指先への衝撃を緩和するため、指先を包囲するように延出されて形成されている。【選択図】図１
0003129336.tif 000002
【実用新案登録請求の範囲】
【請求項１】
靴底の上面の踵に接する部分は凹曲面を形成し、靴底の上面の土踏まずに接する部分は凸曲面を形成してなる運動靴の甲被爪先部分の内側に、親指と第２指との指股がやや開いた状態で保持できるよう、僅かに先拡がりの略Ｖ字状又は略Ｕ字状の隔壁があり、外側は円弧状に丸く形成されてなることを特徴とする運動靴。
【請求項２】
前記隔壁が弾力性を有する緩衝材で形成され、親指と第２指の先端までカバーするように延出されてなることを特徴とする請求項１記載の運動靴。
【考案の詳細な説明】
【技術分野】
【０００１】
本考案は、足全体の運動機能を高め、健康増進を図ることができる運動靴に関するものである。
【背景技術】
【０００２】
本考案者は、足の第１指と第２指との間に略Ｖ字状の開先を設け、略Ｖ字状の開先はその開いた状態が保持できるよう硬質の素材で形成された外反母趾防止用健康履物を開示している（例えば、特許文献１参照。）。
さらに、靴底の上面の踵に接する部分は凹曲面を形成し、靴底の上面の土踏まずに接する部分は凸曲面を形成してなることを特徴とする運動靴を開示した（例えば特許文献２参照。）。
【０００３】
一方、靴の内側部分であって、親指と第２指との股が位置する部分に、靴の爪先部分を内部的に二分する間仕切りを設けてなることを特徴とする靴（例えば、特許文献３参照。），あるいは、靴の内部に足袋様の指股隔壁を形成し、身体の運動機能の向上と、足の障害を予防する靴も公開されている（例えば、特許文献４参照。）。
【０００４】
【特許文献１】実用新案登録第３１１２５０２号公報
【特許文献２】実用新案登録第３１２０７５７号公報
【特許文献３】実開平６−８２９０３号公報
【特許文献４】実開平９−４７３０２号公報
【考案の開示】
【考案が解決しようとする課題】
【０００５】
特許文献１及び特許文献２の考案では、靴の爪先に開口した指股部が設けられているため、この指股部に異物がはさまったり、障害物が引っかかって身体のバランスを崩したりするおそれがあった。特に幼年者や、高齢者にそのような危険性が高かった。本考案は、幼年者や高齢者・その他運動機能が通常人より低下している人々にとって安心して使用できる運動靴を提供しようとするものである。
【０００６】
また、特許文献３及び特許文献４では、靴の爪先部分に間仕切り又は隔壁が設けられているものの、身体の健康増進及び運動機能の向上と足の障害を予防する工夫は間仕切り又は隔壁以外になされていない。
【課題を解決するための手段】
【０００７】
本考案は、靴底の上面の踵に接する部分は凹曲面を形成し、靴底の上面の土踏まずに接する部分は凸曲面を形成してなる運動靴の甲被爪先部分の内側に、親指と第２指との指股がやや開いた状態で保持できるよう、僅かに先拡がりの略Ｖ字状又は略Ｕ字状の隔壁がある運動靴であって、外側は円弧状に丸く形成されてなることを特徴とする運動靴である。
【０００８】
足の親指と他の足指との指股がやや開いた状態で保持されていることから、足指に力が入り、歩行に際して足先に十分な力が入り、特に坂道などで滑ったり、転んだりする危険が防止できる。また、靴底の土踏まずと踵部分が足裏と密着することから足に力が入り易くなり長時間の歩行でも足が疲労し難い。
【０００９】
本考案では、僅かに先拡がりの略Ｖ字状又は略Ｕ字状の開先は、靴の爪先の内側部分に設けられ、靴底及び靴の甲被外側の爪先部分に開口部が設けられていない。そのため、靴の爪先に異物がつまったり、障害物が引っかかって身体のバランスを崩すおそれもない。
又、前記隔壁が弾力性を有する緩衝材で形成され、親指と第２指の先端を包囲するように延出させると、ボールを蹴ったりする場合などの運動靴として、指先の衝撃を緩和するのに好ましい。
【考案の効果】
【００１０】
本考案は、足の親指とその他の足指との指股を拡げ、足裏の踵と土踏まずの部分がうまく密着するよう曲面が形成されており、足の指先のみならず、足全体の運動機能を高めるのに効果を奏するとともに、健康増進も図られる。
【００１１】
また、靴の爪先部分の内側に設けられた略Ｖ字状又は略Ｕ字状の隔壁の中間部は靴の甲被で覆われており、靴の爪先に開口部が露出することはない。
そのため、爪先に異物が挟まったり、障害物に爪先が引っかかるおそれもない。
更に、親指と第２指の先端を包囲するように前記隔壁を延出させれば、指先に衝撃がかかるような場合の緩衝効果が増す。
【考案を実施するための最良の形態】
【００１２】
以下、添付図面に従って本考案を実施するための最良の形態を説明する。
図１は、本考案の実施例を示す要部断面の斜視図である。靴の爪先内側に足の親指４と他の足指との指股が多少開いた状態で保持されるよう、僅かに先拡がりの略Ｖ字状又は略Ｕ字状の隔壁Ａが設けられている。隔壁Ａの内側、図１において斜線が施された部分には緩衝材７が充填されている。緩衝材７はゴムその他弾力のある素材が用いられている。
【００１３】
靴底２の踵部分の上面は凹曲面Ｂとなっていて、靴底２の土踏まずに接する部分は凸曲面Ｃとなっていて、足裏と靴底２の上面が密着するようになっている。
靴１の上面は紐３で結べるようになっている。
【００１４】
図２は、靴を履いた状態を示す要部断面図である。
足先の親指４と、他の足指とは隔壁Ａで隔離された状態にあり、足裏の踵部５が靴底の凹曲面Ｂと密着し、足裏の土踏まず６が靴底のＣ曲面と密着し、足全体が靴によくなじみ運動しやすい状態となっている。
また、爪先の緩衝材７は、靴の爪先が障害物と接触したときの衝撃の緩和に有効であり、前記隔壁Ａは親指と第２の足指の先端部まで延出されている。
【図面の簡単な説明】
【００１５】
【図１】本考案の実施例を示す要部切欠図である。
【図２】本考案の運動靴を履いた状態を示す要部断面図である。
【符号の説明】
【００１６】
１  靴本体
２  靴底
３  靴紐
４  足先の親指
５  足裏の踵部
６  足裏の土踏まず
７  緩衝材
８  甲被
Ａ  隔壁
Ｂ  凹曲面
Ｃ  凸曲面
【図１】
0003129336.tif 000003
【図２】
0003129336.tif 000004
(57)【要約】【課題】患部の状態等に応じて、種々のローラを選択することができ老人等にも優しいマッサージ感を与える全身ローラマッサージ器を提供することを目的とする。【解決手段】患部の症状に応じた種々の断面形状を有する複数のローラ部１と、該複数のローラ部１の１個をその両端面で支持し回動させるための２個の支持棒２と、前記支持棒２を固定するための把手部３からなり、前記ローラ部１が、前記２個の支持棒２に対し着脱可能であることを特徴とする全身ローラマッサージ器。【選択図】図１
0003129301.tif 000002
【実用新案登録請求の範囲】
【請求項１】
患部の症状に応じた種々の断面形状を有する複数のローラ部と、
該複数のローラ部の１個をその両端面で支持し回動させるための２個の支持棒と、
前記支持棒を固定するための把手部からなり、
前記ローラ部が、前記２個の支持棒に対し着脱可能であることを特徴とする全身ローラマッサージ器。
【請求項２】
前記把手部の前記支持棒が固定されない側の先端が指圧可能な形状であり、
前記２個の支持棒が固定バンドで固定されることを特徴とする請求項１記載の全身ローラマッサージ器。
【請求項３】
前記種々の断面形状を有する複数のローラ部の材質が、木であることを特徴とする請求項１又は２記載の全身ローラマッサージ器。
【考案の詳細な説明】
【技術分野】
【０００１】
本考案は、使用目的に応じて種々のローラを選択することができる全身ローラマッサージ器に関する。
【背景技術】
【０００２】
現在知られている種々のマッサージ器には、例えば、特許文献１及び特許文献２に開示されているようなものがある。
【０００３】
特許文献１の考案は図５に示したように、ハンドル３０の先端の叩打器座３３の両側に、それぞれ按摩輪３１と叩打器３２を取り付け、所定の患部に按摩輪３１を押し当てながら回転させることにより、患部のこり等を和らげる機能を有するものである。また、叩打器３２を使って使用者の肩等を叩くこともできる。
【特許文献１】実用新案登録第３０４１６０５号公報
【考案の開示】
【考案が解決しようとする課題】
【０００４】
しかし、上記した従来の按摩器では、その構造が複雑であり比較的高価なものであった。また、特許文献１の考案においては、按摩輪３１の歯の形状が一定の間隔で固定されたものであり、種々の患部に適合したマッサージ感を得たい場合にその間隔を変更できないという問題があった。
【０００５】
本考案は、以上の点に着目して成されたものであって、患部の状態等に応じて種々のローラを選択することができ老人等にも優しいマッサージ感を与える全身ローラマッサージ器に関する。
【課題を解決するための手段】
【０００６】
本考案は、上述の目的を達成するため、以下（１）〜（３）の構成を備えるものである。
【０００７】
（１）患部の症状に応じた種々の断面形状を有する複数のローラ部と、該複数のローラ部の１個をその両端面で支持し回動させるための２個の支持棒と、前記支持棒を固定するための把手部からなり、前記ローラ部が、前記２個の支持棒に対し着脱可能であることを特徴とする全身ローラマッサージ器。
【０００８】
（２）前記把手部の前記支持棒が固定されない側の先端が指圧可能な形状であり、前記２個の支持棒が固定バンドで固定されることを特徴とする前記（１）記載の全身ローラマッサージ器。
【０００９】
（３）前記種々の断面形状を有する複数のローラ部の材質が、木であることを特徴とする前記（１）又は（２）記載の全身ローラマッサージ器。
【考案の効果】
【００１０】
本考案の全身ローラマッサージ器の種々のローラを選択することで、使用者は、体の患部の状態に応じたマッサージ感を得られると言う効果がある。
【考案を実施するための最良の形態】
【００１１】
以下、本考案を実施するための最良の形態を、実施例により詳しく説明する。
【実施例１】
【００１２】
本考案の全身ローラマッサージ器の実施例１を図１に示す。図１において、１はローラ部、２は支持棒、３は把手部である。
【００１３】
ローラ部１の両側端面には、支持棒２の先端部が挿入される凹部が設けられている。この凹部には、ローラの回転を滑らかにするため樹脂製のブッシュ４を取り付けても良い。２個の支持棒２が、ローラの両端面の凹部にその先端が挿入された後、把手部３が取り付けられる。そのため、把手部３の中心部は支持棒２が入れられる深さを有する穴が形成されているものとする。
【００１４】
上記ローラ部１の断面形状は図２に示したように、その使用目的に応じて３種類の断面形状のものがある。そして、これら３種類の断面形状を有するローラ部１を状況に応じて支持棒２から外した後、交換することが可能であるものとする。図３は、ローラ部を外した状態を示す図であり、図中の寸法ａはローラ部の幅寸法より少し小さいものとする。これにより、比較的簡単に使用者の患部の症状に応じてローラ部を交換することができる。また、図３のように２個の支持棒２は把手部３に抜き差し可能であり、支持棒を抜いてからローラ部１を外してもよい。
【００１５】
なお、ローラ部の断面の形状は、図２に示したものに限定されるものではなく、更に凹凸の細かい断面形状であっても良い。また、ローラ部１の材質は老人等にとっても優しい接触感をあたえるため、檜等の木製の材質であるものとする。材質が木製であることにより、保温性も良く、使用時の違和感を防止することができる。
【００１６】
更に、把手部３のローラ取付側と反対側の端部３ａは略とがった形状を有しているものとする。かかる形状を有することで、マッサージ器使用者の身体のツボ部にこの先端部を押圧することで、按摩と指圧の両方の治療を同時に、一つの器具で実施できるという効果を有することになる。
【実施例２】
【００１７】
実施例１の２個の支持棒２の分岐部に固定バンド５を使用しても良い（図４参照）。該バンドを使用することで、支持棒２がぶれることが防止され、その結果、ローラ部１の回転も滑らかなものとなる。
【図面の簡単な説明】
【００１８】
【図１】実施例１の全身ローラマッサージ器を示す斜視図である。
【図２】実施例１のローラ部の断面を示す図である。
【図３】実施例１のマッサージ器からローラ部を外した状態を示す図である。
【図４】（ａ）実施例２の全身ローラマッサージ器を示す斜視図である。（ｂ）実施例２の固定バンドを示す図である。
【図５】特許文献１の按摩器を示す図である。
【符号の説明】
【００１９】
１  ローラ部
１ａ  細かい凹凸の周面を有するローラ部の断面
１ｂ  粗い凹凸の周面を有するローラ部の断面
１ｃ  凹凸のない周面を有するローラ部の断面
２    支持棒
３    把手部
３ａ  先端部
４    ブッシュ
５    固定バンド
３０  ハンドル
３１  按摩輪
３２  叩打器
３３  叩打器座
【図１】
0003129301.tif 000003
【図２】
0003129301.tif 000004
【図３】
0003129301.tif 000005
【図４】
0003129301.tif 000006
【図５】
0003129301.tif 000007
(57)【要約】      （修正有）【課題】（一体化式）附け毛付帽子は、毛髪のない患者さんの為に提供するものであり、治療中も病に負けることなく、自分らしい生活が保てるように、特に、病院内における検査や、病室の寝起き等の全ての体勢に対応できるようにする。【解決手段】検査に対応できるように金具やボタンを使用しないで、ゴムや糸で固着された市販の附け毛と帽子を完全に糸で縫いつけ一体化するので、難しい技術を必要とせずに短時間で安く作成できる。【選択図】図１
0003129375.tif 000002
【実用新案登録請求の範囲】
【請求項１】
特に病院内で、特定の患者さんが、日常その場で気軽に使用できる帽子として、ゴムや糸で固着された市販の附け毛と帽子を完全に糸で縫いつけた（一体化式）附け毛付帽子。
【考案の詳細な説明】
【技術分野】
【０００１】外出する場合だけでなく、特に病院内で、特定の患者さんが身近に極く自然に使用できるように附け毛と帽子を完全に一体化したものである。
【背景技術】
【０００２】癌患者さんの抗がん剤等の治療中に起こる女性の脱毛は、困惑の極みそのものです。病院内治療中に起こる脱毛を何とか自分で受け止め、取り敢えずいろいろな帽子やバンダナを被るだけが精一杯でした。
そこで、外見上、極く自然に髪があるように見える（一体化式）附け毛付帽子の使用により、ＣＴ、ＭＲＩ等の検査や病室の寝起き等、病院内における全ての体勢に対応できる。
【考案の開示】
【考案が解決しようとする課題】
【０００３】（一体化式）附け毛付帽子は、毛髪のない患者さんの為に提供するものであり、治療中も病に負けることなく、自分らしい生活が保てるように、特に、病院内における検査や病室の寝起き等の全ての体勢に対応できるように考案したものである。
【考案を解決するための手段】
【０００４】検査に対応できるように金具やボタンを使用しないで、ゴムや糸で固着された市販の附け毛と帽子を完全に糸で縫いつけ一体化するので、難しい技術を必要とせずに短時間で安く作成できる。
【考案の効果】
【０００５】以上のように、金具やボタン等を使用しないこの（一体化式）附け毛付帽子は、病院内の様々な検査に対応することが可能であり、いちいちはずすように言われる事なく、又はずれる心配もない。夏や梅雨時にもむれる心配もなく、又簡単に洗濯が出来る。室外でも、風で乱れたり、飛ばされたりと、頭に着けている事自体に神経を使う「かつら」に比べると気軽に使え、価格も安い。
そして、帽子には色と素材に季節感をもたせ、通気性と自然さを重視した帽子に髪をつけることにより、デリケートな女性の顔を引き立たせ、心にも優しく、外見上も全く違和感がない。したがって、病院を退院されてからも、そのまま継続して外出用としても使用できる。
癌患者さんの女性の脱毛の現実は予知している以上に衝撃的である。そんな女性のストレスから解消される部分が大きく、治療にもプラスになれば一層良い。
【考案を実施するための最良の形態】
【０００６】本考案の実施の形態が［図１］に示されている。本考案の（一体化式）附け毛付帽子は［図２］の帽子と［図３］の附け毛とを帽子１に示す位置の裏面部分に完全に糸で縫いつけたものである。本考案は、病院内用として考案したものであるが、目的や希望に合わせて［図１］のようにカットして調節できる。又、髪は［図５］のように編んだり、結んだり、［図４］のように耳の前に［図３］の附け毛の一部分を切り離して帽子につける事ができ、病院用、外出用として、そのまま使えるものである。
［図６］は帽子に［図３］の附け毛を縫い付け一体化させ、頭に被れば、外出用となるので、使用者となる患者の行動範囲も広められる。
【産業上の利用可能性】
【０００７】体験者とその賛同者が集い、ネットワークを使いながらホームページの中で提供していく。
【図面の簡単な説明】
【０００８】
【図１】考案実施の形態を示す図である
【図２】図１の帽子を示す図である
【図３】図１の附け毛部分の図である
【図４】図１の形態を変化させた図である
【図５】図１の形態を変化させた図である
【図６】図１から帽子を変えた図である
【符号の説明】
【０００９】１、  帽子と附け毛を縫い付ける位置
２、  附け毛の部分を示す位置
３、  附け毛を縫い付ける位置
【図１】
0003129375.tif 000003
【図２】
0003129375.tif 000004
【図３】
0003129375.tif 000005
【図４】
0003129375.tif 000006
【図５】
0003129375.tif 000007
【図６】
0003129375.tif 000008
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
病院内で、特定の患者さんが、日常その場で気軽に使用出来る帽子として、ゴムや糸で固着された附け毛と帽子を完全に糸で縫いつけた附け毛付帽子。
(57)【要約】      （修正有）【課題】納豆の持つ、臭みや食感を変化させ、多くの人が食することができる納豆包み保存加工揚げ食品を提供する。【解決手段】小麦粉で作った皮１で、練りこんだ納豆２を包み、冷蔵保存したあと、食するときに天ぷら油を使用し、納豆２を揚げ物とした状態を特徴とする納豆包み保存加工揚げ食品。これにより、ナットウキナーゼやプロアミンの治病効果やビタミン、カルシウムの栄養成分を損ねることなく、小麦粉で作った皮に包み入れ、冷凍、真空パック、缶詰め、瓶詰めにして食することができる。【選択図】図２
0003129377.tif 000002
【実用新案登録請求の範囲】
【請求項１】
小麦粉を練り固め板状にしたもので、攪拌して粘りを出した納豆を包み、冷凍、真空パック、びん詰、缶詰、何れかの方法で保存する。
食する時、取り出してんぷら油で揚げる。
【考案の詳細な説明】
【技術分野】
【０００１】本考案は小麦粉で作った皮で納豆を包み、それを、てんぷら油で揚げた保存加工食品に関するもの。
【背景技術】
【０００２】納豆は、攪拌して、ねぎやからしを加え、最後に醤油いれて食べていた。
【考案の開示】
【考案が解決しようとする課題】
【０００３】納豆の持っている栄養成分は良質のたんぱく質やカルシュウム等、健康維持病気予防としてのナットウキナーゼ、ポリアミンを含んでいるので多くの人達に食して貰いたい、しかし、納豆特有の臭いやぬるぬる感は子供や欧米人に嫌われている。
【問題を解決するため手段】
【０００４】本考案は納豆を小麦粉を練って作った、薄状の皮で包む、そしてそれを天ぷら油で、からっと揚げる、この事により納豆特有の臭いは消え、ぬるぬる感も減少させることにより問題を解決している。
【考案の効果】
【０００５】納豆の多方面に亘る栄養、治病効果は、カルシュウム摂取による骨生成、ナットウキナーゼによる血栓溶血作用（脳卒中予防）、ポリアミンの細胞活性作用、（ガン予防）等は医学臨床実験で効果は証明済み。そして、この納豆の効果的摂取時間は午後から夜にかけてである。納豆を朝食以外でも又子供から老人、外国人にも幅広く利用、食してもらう事の出来る、スナック形式の納豆包み揚げ方式こそ時代のニーズあると思います。そして、冷凍、真空パックびん詰、缶詰に加工することで、世界中の人々に納豆の素晴らしさを伝えられ健康に寄与し我々日本国の国益にも繋がる。
【考案の実施するための最良の形態】
【０００６】最初、納豆をよく練り、粘りが出て、白い泡状のものが出来る、次に小麦粉も練り麺打ち棒でのし、平たくのばす、三十センチ四方の皮状にする。それを半径五センチメートルの円状にくり抜く、その小麦粉の皮で、錬りあがった納豆を包む
これを、冷凍、真空パック、缶詰め、瓶詰めのいずれかの方法で保存領置する。
食する時、取り出し、天ぷら油であげる。
【実施例】
【０００７】以下、添付図面に従って−実施例を説明する。１は小麦粉で作った皮２は納豆。３は天ぷら油。４はてんぷら鍋  ５はガス器具【０００８】本考案の−実施例は上述の如き構成からなるものであるから、簡易な作業で作る事が出来る。
【図面の簡単な説明】
【０００９】
【図１】本考案の納豆を小麦粉で包んだ−実施例を示す正面図である。
【図２】本考案の一部切欠断面図である。
【図３】本考案に使用される調理器具と原料である。
【符号の説明】
【００１０】１  小麦粉で作った皮
２  納豆
３  天ぷら油
４  天ぷら鍋
５  ガス器具
【図１】
0003129377.tif 000003
【図２】
0003129377.tif 000004
【図３】
0003129377.tif 000005
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
小麦粉で作った皮で、練りこんだ納豆を包み、冷蔵保存したあと、食するときテンプラ油を使用、納豆を揚げ物とした状態を特徴とする納豆包み保存加工揚げ食品。
(57)【要約】      （修正有）【課題】木造軸組構造の家屋で、大地震や豪雨による土砂崩れなどによる住宅の完全倒壊で、逃げ遅れなどによる高齢者の方などが圧死するケースを減少させる。【解決手段】家屋の１階部分の１部屋をシエルターとし、地震等が起きた時はそこに逃げ込む事にして住宅の倒壊による圧死を防ぐ。自分の家の中に避難所があるのだからとりわけ、高齢者の方には有用である。【選択図】図２
0003129376.tif 000002
【実用新案登録請求の範囲】
【請求項１】
木造軸組構造の家屋で、一階部分の１部屋につき通柱に鉄骨７５角柱を貫通ボルトで固定し、床下に４５０ｍｍ角深さ５００ｍｍで独立基礎を設け、天井裏の梁に７５ｍｍ×２５０ｍｍのＨ鋼又はＣ形鋼を貫通ボルトで固定し、平行・垂直ブレスを用い６面体（床・壁・天井）の鉄骨構造のシールドを造り、床下全体には厚さ１００ｍｍで鉄筋入りのコンクリートを打ち、ベタ基礎としてさらにシールド強度を高めることにした、木造軸組構造住宅倒壊防止鉄骨シールド工法。
【考案の詳細な説明】
【技術分野】
【０００１】  本考案は、木造軸組住宅倒壊防止鉄骨シールド工法に関する。
【背景技術】
【０００２】  従来の木造軸組住宅において、阪神大震災のような大地震や豪雨による土砂崩れなどによる住宅の完全倒壊で、高齢者の方などの圧死が多数見受けられた。
【考案の開示】
【考案が解決しようとする課題】
【０００３】  住宅の完全倒壊では、逃げ遅れての圧死が多数見受けられるが、土砂崩れなどは急に起きる事も多く、高齢者の方が外に逃げる時間も無い場合もある。大地震などは外に逃げた方が危険だと考えられる場合もある。
【課題を解決するための手段】
【０００４】  そこで、木造軸組構造の家屋で１階部分の１部屋につき、一階部分の１部屋につき通柱または主柱に鉄骨７５角柱を貫通ボルトで固定し、床下に４５０ｍｍ角・深さ５００ｍｍで独立基礎を設け、天井裏の梁に７５ｍｍ×２５０ｍｍのＨ鋼またはＣ形鋼を貫通ボルトで固定し、平行・垂直ブレスを用い６面体（床・壁・天井）の鉄骨構造のシールドを造り、床下全体には厚さ１００ｍｍで鉄筋入りのコンクリートを打ちベタ基礎として、さらにシールド強度を高めることにした木造軸組構造住宅倒壊防止鉄骨シールド工法を考案した。（図２）
このシールド工法により、耐震補強精度が増し、大震災や豪雨による土砂崩れなどによる、住宅の完全倒壊を防ぎます。
【考案の効果】
【０００５】  本考案の住宅倒壊防止鉄骨シールド工法により、大震災や豪雨による土砂崩れなどからの住宅の完全倒壊を防ぎ、シールドを布設した部屋はシエルターとなり、同部屋に避難すれば、圧死することはありません。またシールド工法は、鉄骨住宅が建物の居住空間にあると同じですので、白蟻・湿気等の影響も受けませんし、劣化もありません。
【考案を実施するための最良の形態】
【０００６】  本考案にかかるシールド工法は、１階部分の１部屋につき図２に示すように鉄骨構造のシールドを造り、よって同部屋をシエルターとしてしまうものである。
本考案の実施については、家の１室部分につき解体を要し、洋間の場合は壁の解体も要しますが、和室の場合は柱の位置がわかるため壁の解体は必要ありません。また中心部の１室につき実施することが最良であります。
【図面の簡単な説明】
【０００７】
【図１】本考案に係る工法を実施した部屋の平面図である。
【図２】本考案に係る工法を実施した部屋の立面図である。
【図１】
0003129376.tif 000003
【図２】
0003129376.tif 000004
【手続補正書】
【提出日】平成18年10月27日(2006.10.27)
【手続補正１】
【補正対象書類名】実用新案登録請求の範囲
【補正対象項目名】全文
【補正方法】変更
【補正の内容】
【実用新案登録請求の範囲】
【請求項１】
木造軸組構造の家屋で、一階部分の１部屋につき通柱に鉄骨７５角柱を貫通ボルトで固定し、床下に４５０ｍｍ角深さ５００ｍｍで独立基礎を設け、天井裏の梁に７５ｍｍ×２５０ｍｍのＨ鋼又はＣ形鋼を貫通ボルトで固定し、平行・垂直ブレスを用い６面体（床・壁・天井）の鉄骨構造のシールドを造り、床下全体には厚さ１００ｍｍで鉄筋入りのコンクリートを打ち、ベタ基礎としてさらにシールド強度を高めることにした、木造軸組住宅倒壊防止構造
【手続補正２】
【補正対象書類名】明細書
【補正対象項目名】全文
【補正方法】変更
【補正の内容】
【考案の詳細な説明】
【技術分野】
【０００１】  本考案は、木造軸組住宅倒壊防止構造に関する。
【背景技術】
【０００２】  従来の木造軸組住宅において、阪神大震災のような大地震や豪雨による土砂崩れなどによる住宅の完全倒壊で、高齢者の方などの圧死が多数見受けられた。
【考案の開示】
【考案が解決しようとする課題】
【０００３】  住宅の完全倒壊では、逃げ遅れての圧死が多数見受けられるが、土砂崩れなどは急に起きる事も多く、高齢者の方が外に逃げる時間も無い場合もある。大地震などは外に逃げた方が危険だと考えられる場合もある。
【課題を解決するための手段】
【０００４】  そこで、木造軸組構造の家屋で１階部分の１部屋につき、一階部分の１部屋につき通柱または主柱に鉄骨７５角柱を貫通ボルトで固定し、床下に４５０ｍｍ角・深さ５００ｍｍで独立基礎を設け、天井裏の梁に７５ｍｍ×２５０ｍｍのＨ鋼またはＣ形鋼を貫通ボルトで固定し、平行・垂直ブレスを用い６面体（床・壁・天井）の鉄骨構造のシールドを造り、床下全体には厚さ１００ｍｍで鉄筋入りのコンクリートを打ちベタ基礎として、さらにシールド強度を高めることにした木造軸組住宅倒壊防止構造を考案した。（図２）
この構造により、耐震補強精度が増し、大震災や豪雨による土砂崩れなどによる、住宅の完全倒壊を防ぎます。
【考案の効果】
【０００５】本考案により、大震災や豪雨による土砂崩れなどからの住宅の完全倒壊を防ぎ、シールドを布設した部屋はシエルターとなり、同部屋に避難すれば、圧死することはありません。また本考案は、鉄骨住宅が建物の居住空間にあると同じですので、白蟻・湿気等の影響も受けませんし、劣化もありません。
【考案を実施するための最良の形態】
【０００６】本考案は、１階部分の１部屋につき図２に示すように鉄骨構造のシールドを造り、よって同部屋をシエルターとしてしまうものである。
本考案の実施については、家の１室部分につき解体を要し、洋間の場合は壁の解体も要しますが、和室の場合は柱の位置がわかるため壁の解体は必要ありません。また中心部の１室につき実施することが最良であります。
【図面の簡単な説明】
【０００７】
【図１】本考案に係る構造の部屋の平面図である。
【図２】本考案に係る構造の部屋の立面図である。
(57)【要約】      （修正有）【課題】社会生活の中での名刺交換は日常茶飯事である。特に会社の営業社員等は一日に数十回と名刺交換するというのも珍しくない。その名刺交換の時、初対面とそれに緊張も加わって、名刺ケースから名刺を一枚取り出せず、おたおたして、その後の営業活動にも支障を来す場合も多々ある。【解決手段】名刺ケース１に、名刺をスライドさせる為の回転式ゴムローラー４を取り付ける事で、一枚の名刺をスムーズに取り出す事が出来る。【選択図】図１
0003129373.tif 000002
【実用新案登録請求の範囲】
【請求項１】
名刺を一枚づつスライドさせて取り出すことを特徴とする名刺ケース。
【請求項２】
名刺ケースに回転式ローラーを取り付けた事を特徴とする名刺ケース。
【請求項３】
請求項２の回転式ローラーはゴム製を使用し、回転式ローラーと名刺との摩擦を利用して、名刺をスライドさせ取り出す事を特徴とする名刺ケース。
【請求項４】
名刺を一枚取り出したら、ケースの内側下方に取り付け付けた板バネにより、中の名刺全部が名刺一枚分上方へ押上移動する名刺ケース。
【考案の詳細な説明】
【技術分野】
【０００１】この考案は、名刺ケースの改良と形状に関する。
【背景技術】
【０００２】従来の名刺ケースは、箱型ケースか折りたたみ式ケースの物で、名刺を手で一枚づつ取り出す方式のものである。
【考案の開示】
【考案が解決しようとする課題】
【０００３】しかしながら、以上の技術によれば、名刺を取り出した時、名刺が二枚重なっていたり、相手が二人三人と多い場合、時間がかかり、それに緊張が加わり名刺交換がスムーズに行えない場合がある。
そこで、この考案は、名刺ケースから名刺を一枚だけスムーズに取り出すという事を課題とする。
【課題を解決するための手段】
【０００４】以上の課題を解決するために、第一考案は、名刺を一枚づつスライドさせて取り出すことを特徴とする名刺ケース。
また、第二考案は、名刺ケースに回転式ローラーを取り付けた事を特徴とする名刺ケース。
次に、第三考案は、第二考案での回転式ローラーはゴム製を使用し、回転式ローラーと名刺との摩擦を利用して、名刺をスライドさせ取り出す事を特徴とする名刺ケース。
第四考案は、名刺を一枚取り出したら、ケースの内側下方に取り付け付けた板バネにより、中の名刺全部が名刺一枚分上方へ押上移動する名刺ケース。
【考案の効果】
【０００５】第一考案、第二考案、第三考案、第四考案によれば、名刺ケースに回転式ゴムローラーを取り付ける事で、名刺ケースから一枚の名刺をスムーズに取り出す事が出来る。
【考案を実施するための最良の形態】
【０００６】  この考案を図によって説明すると、この名刺ケース本体のふた（５）には回転式ゴムローラー（４）、本体（１）の底には板バネ（２）−１・（２）−２が取り付けられている。本体（１）の底の板バネ（２）の上にダミー名刺（６）ををのせ、その上に名刺（７）をのせ、ふた（５）を閉める。名刺を取り出す時は、回転式ゴムローラー（４）を図３で示している矢印の方向の方向に回転させると、名刺（７）の一番上の一枚が回転式ゴムローラー（４）のゴムとの摩擦で出口の方に移動する。その名刺を取り出したら、自動的に名刺（７）を板バネ（２）が下から上へ押上げて次の名刺がスタンバイ状態になる。なお回転式ゴムローラーの位置は、図３で示すように、板バネ（２）−２より少し後ろにずらしておく。そうする事により名刺の前方（出口の方）を上方に浮かせる事が出来る。それから、名刺の出口は図３に示すように、本体の前面は斜めに立ち上げ、出口のスペースは名刺の厚さに開けておく。【０００７】「実施形態の効果」
本考案は、”初対面は名刺交換から”と言われる程の今日。名刺交換は色々な所で行われているが、会社の営業活動を例にあげると、初対面は誰しも多少なりと緊張するもの、それゆえに、出した名刺が二枚重なっていたり、なかなか名刺ケースから名刺を取り出せなくて困る事が多々ある。この考案の名刺ケースを使う事により名刺交換をスムーズに行う事が出来、精神的にも落ち着き、後の営業活動もスムーズに運ぶ事が出来る。この様に多方面でプラス効果が期待できる。
【図面の簡単な説明】
【０００８】
【図１】この考案のふたを開けた時の斜視図である。
【図２】この考案のふたを閉めた時の斜視図である。
【図３】この考案の正面透視図である。
【図４】この考案の側面透視図である。
【符号の説明】
【０００９】（１）名刺ケース本体    （２）板バネ    （３）名刺のぞき穴    （４）回転式ゴムローラー    （５）ふた    （６）ダミー名刺    （７）名刺
【図１】
0003129373.tif 000003
【図２】
0003129373.tif 000004
【図３】
0003129373.tif 000005
【図４】
0003129373.tif 000006
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
名刺ケースの中の名刺が、スライドして出口に来た時に出て来やすくなる様に、出口の面を斜めにした名刺ケース。
【請求項２】
名刺ケースに回転式ローラーを取り付けた事を特徴とする名刺ケース。
【請求項３】
請求項２の回転式ローラーはゴム製を使用し、回転式ローラーと名刺との摩擦を利用して、名刺をスライドさせ取り出す事を特徴とする名刺ケース。
【請求項４】
名刺を一枚取り出したら、ケースの内側下方に取り付けた板バネにより、中の名刺全部が名刺一枚分上方へ押上移動する名刺ケース。
(57)【要約】【課題】  簡易な構成によって屋根自体を太陽の直射日光から保護すると共に、冷却することによって、屋根が高温となるのを防止せんとする。【解決手段】  透孔９が散在して形成されているシート２を、屋根面上に、屋根１と隙間をおいて張設し、前記透孔９から隙間空間の換気を可能とすると共に、シート２の浮き上がりを防止したことを特徴とする。【選択図】  図３
0003129324.tif 000002
【実用新案登録請求の範囲】
【請求項１】
透孔を散在して形成したシートを、屋根面上に、屋根とに隙間空間をおいて張設し、前記透孔から隙間空間の換気を可能とすると共に、シートの浮き上がりを防止したことを特徴とする屋根。
【考案の詳細な説明】
【技術分野】
【０００１】
本考案は屋根に関するものであり、詳しくは屋根を形成する部材が直射日光によって高温となるのを防止し、屋内への影響を無くす屋根に関するものである。
【背景技術】
【０００２】
従来の屋根に関するこの種の防止手段としては、屋根裏の空間を換気して屋根からの影響を絶たんとするものがあり、また、屋根自体を断熱構造としたりして、屋根からの温度の上昇を防いでいるのである。
【考案の開示】
【考案が解決しようとする課題】
【０００３】
屋根裏の空間を換気したり、屋根を断熱構造とする上記従来の方法は、その効果は期待されるけれど、潤沢な経費が必要であり、例えば工場、倉庫や車庫等の場合に応用することは構造上無理があり、特に瓦棒葺や金属製屋根の場合には太陽の直射日光で相当な高熱となって屋内に影響するのである。
【０００４】
そこで、本考案は簡易な構成によって屋根自体を太陽の直射日光から保護すると共に、冷却することによって、屋根が高温となるのを防止せんとするものである。
【課題を解決するための手段】
【０００５】
本考案の屋根は、透孔を散在して形成したシートを、屋根面上に、屋根とに隙間空間をおいて張設し、前記透孔から隙間空間の換気を可能とすると共に、シートの浮き上がりを防止したことを特徴とするものである。
【考案の効果】
【０００６】
本考案の屋根は、透孔が散在して形成されているシートを、屋根面上に、屋根と隙間をおいて張設したものであるため、屋根の上面を直射日光が照りつけて屋根が高温と成るのを防ぐ効果があり、屋根とシートとの間に形成された空間内を風（空気）が透孔からも出入りして換気して屋根を冷やす効果も期待でき、更にシートの浮き上がりを抑制し、バタついたりしてシートが破損するのを防止し、更にシートに溜まる雨水を透孔から排水する効果も有するのである。
斯かる作用効果を人為的又は機械的に行うもので無く、自然のままに行うものであって、ランニングコストを必要としない経済的効果も有するのである。
【考案を実施するための最良の形態】
【０００７】
本考案の実施の形態を図面に基づいて説明する。
図１は本考案の一実施の形態を示す屋根の平面図、図２及び図３は要部断面図であり、屋根１にシート２を張設した構成となっている。
屋根１は平屋根の瓦棒葺屋根であって、葺き板３のつなぎ目のキャップ４に取り付けた雪止め用金具５のアングル６に、シート２の周囲に設けた取り付け孔７、７・・を利用して鉤１３、１３・・・に引っ掛け、シート２を屋根１の面から浮かし、隙間８を設けて屋根１上に張設したものである。
また、シート２には透孔９、９・・が散設してある。
【０００８】
シート２により、屋根１は直接太陽光線が当たらずに遮断されるため、屋根１自体の温度上昇を防止できる。
そして、屋根１とシート2とに隙間８の空間が形成されており、シート２に透孔９、９・・が設けてあるため、空気が屋根１のシート２の端部や透孔９から出入りして流通するものであるから、隙間８の空間内の空気が換気されて高温となるのを防止できると共に、屋根１自体の空冷作用も行い、また、シート２が風等で浮き上がり、バタついてシートが破損するのを防げるのである。
【０００９】
シート２は、各種織物布、ビニール布、ゴム素材等で引っ張り強さのあるものが望ましく、日除けシートと称する耐光・耐熱や防水などの各種加工を施したものや、寒冷紗を用いてもよい。
また、透孔９の形状及び大きさは任意なものを採択でき、散在の程度も太陽光が通過して屋根を高温化することと、換気流通との関係で適宜設計するものとなる。
【００１０】
以上の説明は本考案の一実施の形態を示したものであり、同一の作用効果を得られる単なる設計の変更や常套手段による変形は本考案の実施態様に含まれるものである。
【図面の簡単な説明】
【００１１】
【図１】本考案の一実施の形態を示す平面図である。
【図２】図１の要部断面図である。
【図３】図１の要部断面図である。
【符号の説明】
【００１２】
１  屋根
２  シート
３  葺き板
４  キャップ
５  雪止め用金具
６  アングル
７  取り付け孔
８  隙間
９  透孔
１３  鉤
【図１】
0003129324.tif 000003
【図２】
0003129324.tif 000004
【図３】
0003129324.tif 000005